(57)【要約】【課題】  高アルカリ性のケイ酸ナトリウム水溶液からアルカリ性分を除去し、ｐＨを自由に変動できるケイ酸水溶液を製造する方法、及びその装置【解決手段】  電解槽は陽極室、及び陰極室と隔膜（陽イオン交換膜等）で仕切られた室を設け、各室に電極板を配備する。陽極室にはケイ酸ナトリウム水溶液を供給ポンプにより、また、陰極室には陽極室に供給される水溶液の電気伝導度を同等にした塩化ナトリウム水溶液、またはケイ酸ナトリウム水溶液等を供給ポンプを用いて循環供給する。陽極電極板、及び陰極電極板に電解電流を印加することにより、陽極室のケイ酸ナトリウム水溶液のＮａイオンが陽イオン交換膜を通り陰極室に移行する。この操作によって、脱アルカリ性のケイ酸水溶液を生成することができる。【選択図】図１
2010235430.tif 000002
【特許請求の範囲】
【請求項１】
ケイ酸ナトリウム水溶液を電気分解することにより、ｐＨを酸性からアルカリ性まで自由に変動できるケイ酸水溶液を生成する方法、及び製造装置
【請求項２】
電気分解により生じる電極への化合物の付着、もしくは沈着による分解能の低下、及び分解能の防止方法
【請求項３】
電気分解により生じる電極への化合物の付着、もしくは沈着による電解槽の保護のための逆電解方法
【発明の詳細な説明】
【技術分野】
【０００１】  本発明は、強アルカリ性であるケイ酸ナトリウム水溶液水からアルカリ性分を除去し、ｐＨを自由に変動できるケイ酸水溶液を生成するための技術である。
【背景技術】
【０００２】  従来の技術では化学薬品を用いてアルカリ性分を除去する方法、イオン交換樹脂を用いて除去する方法、及び電気分解と化学薬品を併用して生成する方法がなされていた。
しかしながら、ケイ酸ナトリウム水溶液からアルカリ成分を除去する方法は、化学薬品を使用することによって生成されたケイ酸水溶液中に化学薬品が残留するため、その薬品を除去しなければならず、またその品質が低下し、多大な工程を必要としていた。
【発明の開示】
【発明が解決しようとする課題】
【０００３】  最近のケイ酸ナトリウム水溶液からケイ酸水溶液を生成する方法として、電気泳動法による電気分解の方式が用いられているが、得られるケイ酸水溶液のｐＨは、アルカリ性から中性領域までの範囲のものがほとんどである。他方、酸性領域のケイ酸水溶液を得るには、一度電気泳動を停止し、その溶液に酸を加える加酸工程が入り、難しいのが実情である。【０００４】  当該の発明の技術は、ケイ酸水溶液のｐＨ範囲が２．５〜１２まで自由に嘱望するｐＨのケイ酸水溶液を選択的に生成することが可能である。そのため、ｐＨ測定器、あるいは電気伝導度のセンサーを設け、所定のｐＨのケイ酸水溶が生成され、制御できるように装置を製造した。【０００５】  また、ケイ酸ナトリウム水溶液を電解槽に供給して電気分解することで、隔膜と特に電解槽の陽極室、及び電極板にケイ酸イオンを含む化合物が付着、もしくは沈着し、電気分解の電解効率を低下させることが生じる。【０００６】  この電解効率の低下を防止するために、定期的に電極板への電源供給の極性を逆にすると共に、陽極室には酸性電解質を、陰極室には水道水、または塩化ナトリウム等を供給しながら数分間電気分解することにより、陽極室の電極板、及び隔膜等に付着、もしくは沈着した化合物等が排出される。
このような工夫したケイ酸水溶液からアルカリ性分を除去する製造方法、及び製造装置を提供することである。
【発明が解決するための手段】
【０００７】  上記の技術的課題を解決するための手段は下記のようである。
電解槽は陽極室、及び陰極室と隔膜（陽イオン交換膜等）で仕切られた室を設け、各室に電極板を配備する。陽極室にはケイ酸ナトリウム水溶液を供給ポンプにより、また、陰極室には陽極室に供給される水溶液の電気伝導度を同等にした塩化ナトリウム水溶液、またはケイ酸ナトリウム水溶液等を供給ポンプを用いて循環供給する。
【０００８】  それと同時に、陽極電極板、及び陰極電極板に電解電流を印加することにより、陽極室のケイ酸ナトリウム水溶液のＮａイオンが陽イオン交換膜を通り陰極室に移行する。その結果、アルカリ性のケイ酸ナトリウム水溶液が酸性側に傾いていく。これによって、脱アルカリ性のケイ酸水溶液を生成することができる。
【０００９】  なお、嘱望するケイ酸水溶液の生成制御回路については、操作盤に表示される嘱望されるｐＨ、または電気伝導度の数値を設定することにより、陽極室に接続されるセンサーボックに電気伝導度測定、またはｐＨ測定のために設置されたセンサーからの電気信号を制御回路に伝達される。これにより、嘱望するｐＨ、または電気伝導度との数値を比較し、その数値が同等であれば装置の動作を停止し、嘱望するｐＨの脱アルカリ性のケイ酸水溶液が生成されたことを表示する。もしくはブザーで知らせることを可能にしている。
【発明の効果】
【００１０】  ケイ酸ナトリウム水溶液から化学薬品を用いずに、また、薬品除去の後処理を行うことなく、自由にｐＨを変動できる脱アルカリ性のケイ酸水溶液を生成することができる。
【実施例１】
【００１１】  最初に、ケイ酸ナトリウムを水で希釈（３号溶液）し、８ｍａｓｓ％のケイ酸ナトリウム水溶液を作成し、ＹＳ１のタンクに入れる。その水溶液の性状はｐＨが１２．２０で、電気伝導度１５．２３ｍＳ／ｃｍであった。次にＹＡ１のタンクには水道水を入れ、それに塩化ナトリウムを投入し、電気伝導度が約１０．００ｍＳ／ｃｍ  程度の水溶液を作成する。【００１２】    ＳＶ１及びＳＶ２の三方電磁弁を設置することで、陽極室の電解質はＹＳ１タンクで、陰極室の電解質はＹＡ１タンクで循環できるように、循環ポンプＰＶ１及びＰＶ２を設置し、動作させる。その後、電解電流電源を電解槽の陽極端子（ＭＴ２）及び陰極端子（ＭＴ１）に３６ＶＤＣ３０Ａを印加する。【００１３】  ８ｍａｓｓ％のケイ酸ナトリウム水溶液５０リットルから、ｐＨ９．００の脱アルカリ性のケイ酸水溶液を生成するには、約４時間３０分を必要とし、ｐＨ３．００の脱アルカリ性のケイ酸水溶液を生成するには約６時間を必要とした。【００１４】  ｐＨ９．００での電気伝導度は、２．２ｍＳ／ｃｍであり、ｐＨ５．００では０．２０ｍＳ／ｃｍに、ｐＨ３．００では０．２４ｍＳ／ｃｍまで低下し、また、電解電流は１Ａ以下まで低下した。【００１５】  生成されたケイ酸水溶液のケイ酸濃度は１１７２７ｍｇ／Ｌ  （ｐｐｍ分光光度計による測定）であり、また、Ｎａイオン濃度は、電解前は７９００ｍｇ／ＬであったのがｐＨ３．００では６．４ｍｇ／Ｌまで低下していた。これらの結果より、脱アルカリ性のケイ酸水溶液が生成したことが確認された。
【実施例２】
【００１６】  ケイ酸脱水溶液が生成された後、一旦、装置を停止し、三方電磁弁ＳＶ１，ＳＶ２をＨＳ１タンクの酸電解質（塩酸等）が陽極室に、またＳＶ３，ＳＶ４を酸性排水タンクの電解質（水道水とアルカリ水の混合水）が陰極室に供給できるように切替える。【００１７】  その後、電解電流電源の極性を切替え、今まで陽極端子（ＭＴ２）に供給されていた正電圧を陰極端子（ＭＴ１）に、また、陰極端子（ＭＴ１）に供給されていた負電圧を陽極端子（ＭＴ２）にする。【００１８】  巡回ポンプＰＶ１とＰＶ２を動作させ、その後に電源電流電源を印加し、電気分解を約３０分間行う。それにより、酸電解質がｐＨ１．５にあったものが、陽極室の化合物が排出されて、ｐＨが約１２．００まで上昇する。これより電解槽内の電極、隔膜等に付着、もしくは沈着していた化合物が洗浄され、電解効率を低下させることなく、次の電気分解が正常に実施することが可能となる。
【図面の簡単な説明】
【００１９】
【図１】ケイ酸ナトリウム水溶液からケイ酸水溶液を製造する装置
【符号の説明】
【００２０】１      電解槽
ＩＫ    隔膜（陽イオン交換膜）
ＭＤ１  ＭＤ２  ：電極板（チタンベース、白金）
ＭＴ１  Ｍｔ２  ：電極端子
ＳＥ    センサーボックス（ｐＨ，電気伝導度の電極）
ＳＶ１  ＳＶ２  ：三方電磁弁
ＰＶ１  ＰＶ２  ：循環ポンプ
ＹＳ１  ケイ酸ナトリウム水溶液、及び脱アルカリ性ケイ酸水溶液貯水タンク
ＨＳ１  酸電解質及び酸廃液貯水タンク
ＹＡ１  塩化ナトリウム水溶液、及びアルカリ性水溶液貯水タンク
ＨＡ１  酸性排水貯水タンク
ＤＫ    電解電流電源、制御回路、及び操作パネルと表示
【図１】
2010235430.tif 000003